(57)【要約】      （修正有）【課題】取り付け箇所への固定時に連続紙が滞留することなく、固定作業中も搬送・排出動作を継続させ、且つ、取り付け部への固定作業時間を確保しながらも記録媒体へのダメージを抑えることが可能な画像形成装置を提供する。【解決手段】連続紙を搬送する搬送部と、画像が定着された連続紙を巻き取る巻取り部とを備えた画像形成装置であって、第１の搬送速度、又は第１の搬送速度よりも遅い第２の搬送速度での連続紙の搬送を制御する速度制御部と、連続紙の先端が巻取り部に到達するまでに要する到達時間を監視する到達時間監視部と、連続紙を巻取り部に固定するために要する、予め設定された取付時間を監視する取付時間監視部とを備え、速度制御部は、連続紙の先端が巻取り部に到達するタイミングに対応させて、連続紙の搬送速度を第１の搬送速度から第２の搬送速度に変更し、取付時間が経過した後、第２の搬送速度から第１の搬送速度に変更する画像形成装置。【選択図】図１
2013249144.tif 000002
【特許請求の範囲】
【請求項１】
連続紙を搬送する搬送部と、
前記搬送部により第１の搬送速度で搬送される前記連続紙に画像を転写する画像転写部と、
前記連続紙に転写された画像の定着を行う定着部と、
前記画像が定着された前記連続紙を巻き取る巻取り部とを備えた画像形成装置であって、
前記搬送部による前記第１の搬送速度、又は前記第１の搬送速度よりも遅い第２の搬送速度での前記連続紙の搬送を制御する速度制御部と、
前記連続紙の先端が前記巻取り部に到達するまでに要する到達時間を監視する到達時間監視部と、
前記連続紙を前記巻取り部に固定するために要する、予め設定された取付時間を監視する取付時間監視部とを備え、
前記速度制御部は、前記連続紙の先端が前記巻取り部に到達するタイミングに対応させて、前記搬送部を制御して前記連続紙の搬送速度を前記第１の搬送速度から前記第２の搬送速度に変更し、前記取付時間が経過した後、前記連続紙の搬送速度を前記第２の搬送速度から前記第１の搬送速度に変更することを特徴とする画像形成装置。
【請求項２】
連続紙を搬送する搬送部と、
前記搬送部により第１の搬送速度で搬送される前記連続紙に画像を転写する画像転写部と、
前記連続紙に転写された画像の定着を行う定着部と、
前記画像が定着された前記連続紙を巻き取る巻取り部と、
ユーザによる操作入力を受付ける操作入力部とを備えた画像形成装置であって、
前記搬送部による前記第１の搬送速度、又は前記第１の搬送速度よりも遅い第２の搬送速度での前記連続紙の搬送を制御する速度制御部と、
前記連続紙の先端が前記巻取り部に到達するまでに要する到達時間を監視する到達時間監視部と、
前記操作入力部を介して受付けた前記ユーザによる操作入力を認識する操作入力制御部とを備え、
前記速度制御部は、前記連続紙の先端が前記巻取り部に到達するタイミングに対応させて、前記搬送部を制御して前記連続紙の搬送速度を前記第１の搬送速度から前記第２の搬送速度に変更し、前記操作入力制御部が前記操作入力部を介して受付けた前記ユーザによる操作入力を認識したタイミングで、前記連続紙の搬送速度を前記第２の搬送速度から前記第１の搬送速度に変更することを特徴とする画像形成装置。
【発明の詳細な説明】
【技術分野】
【０００１】
本発明は、長尺の記録媒体が芯体に巻回された連続紙に対して画像形成を行う画像形成装置に関するものである。
【背景技術】
【０００２】
連続紙上に画像を連続して印刷する、従来のプリンタ、プロッタといった画像形成装置には、連続紙の折れや印刷済みの画像の汚染を防ぐために、装置外に排出される印刷後の連続紙を巻き取る、巻き取り機構を備えるものがある。
【０００３】
一般的な巻き取り機構は、媒体の先端部が取付けられる取り付け箇所を有し、自体が回転することによって連続紙を巻き取る巻き取り部を備える。取り付け箇所への連続紙の固定は、巻取り部に丁度届く長さの連続紙を送り出させた後、画像形成装置を一旦停止し、ユーザが連続紙の先端を取り付け箇所に固定することによって行われる。その後、画像形成装置の紙送り部と巻き取り部とを協調動作させることによって、連続紙の巻き取りが完了する（例えば、特許文献１参照）。
【先行技術文献】
【特許文献】
【０００４】
【特許文献１】特開２００１−２６１２０６号公報
【発明の概要】
【発明が解決しようとする課題】
【０００５】
しかしながら、連続紙上の画像の定着に定着器を用いる画像形成装置の場合、連続紙の搬送・排出時には、定着器内の連続紙を滞留させず、通過させ続けなければならない。一般的に、定着器を冷却状態で駆動させると、トナーの固着による破損が発生する。したがって、定着器の温度が定着温度まで十分に達した後で連続紙を搬送、排出させなければならない。定着器下に連続紙が存在した状態で停止すると、連続紙がカールする、変色するといったダメージが発生することがある。
【０００６】
定着器を用いる画像形成装置においては、取り付け箇所への固定時に連続紙が滞留することなく、固定作業中も搬送・排出動作を継続させ、且つ、取り付け部への固定作業時間を確保しながらも記録媒体へのダメージを抑えなければならないといった問題があった。
【０００７】
本発明は、このような実情に鑑みてなされたものあり、本発明の課題は、取り付け箇所への固定時に連続紙が滞留することなく、固定作業中も搬送・排出動作を継続させ、且つ、取り付け部への固定作業時間を確保しながらも記録媒体へのダメージを抑えることが可能な画像形成装置を提供することである。
【課題を解決するための手段】
【０００８】
上記課題を解決するために、本発明に係る画像形成装置は、連続紙を搬送する搬送部と、前記搬送部により第１の搬送速度で搬送される前記連続紙に画像を転写する画像転写部と、前記連続紙に転写された画像の定着を行う定着部と、前記画像が定着された前記連続紙を巻き取る巻取り部とを備えた画像形成装置であって、前記搬送部による前記第１の搬送速度、又は前記第１の搬送速度よりも遅い第２の搬送速度での前記連続紙の搬送を制御する速度制御部と、前記連続紙の先端が前記巻取り部に到達するまでに要する到達時間を監視する到達時間監視部と、前記連続紙を前記巻取り部に固定するために要する、予め設定された取付時間を監視する取付時間監視部とを備え、前記速度制御部は、前記連続紙の先端が前記巻取り部に到達するタイミングに対応させて、前記搬送部を制御して前記連続紙の搬送速度を前記第１の搬送速度から前記第２の搬送速度に変更し、前記取付時間が経過した後、前記連続紙の搬送速度を前記第２の搬送速度から前記第１の搬送速度に変更することを特徴とする。
【０００９】
また、本発明に係る画像形成装置は、連続紙を搬送する搬送部と、前記搬送部により第１の搬送速度で搬送される前記連続紙に画像を転写する画像転写部と、前記連続紙に転写された画像の定着を行う定着部と、前記画像が定着された前記連続紙を巻き取る巻取り部と、ユーザによる操作入力を受付ける操作入力部とを備えた画像形成装置であって、前記搬送部による前記第１の搬送速度、又は前記第１の搬送速度よりも遅い第２の搬送速度での前記連続紙の搬送を制御する速度制御部と、前記連続紙の先端が前記巻取り部に到達するまでに要する到達時間を監視する到達時間監視部と、前記操作入力部を介して受付けた前記ユーザによる操作入力を認識する操作入力制御部とを備え、前記速度制御部は、前記連続紙の先端が前記巻取り部に到達するタイミングに対応させて、前記搬送部を制御して前記連続紙の搬送速度を前記第１の搬送速度から前記第２の搬送速度に変更し、前記操作入力制御部が前記操作入力部を介して受付けた前記ユーザによる操作入力を認識したタイミングで、前記連続紙の搬送速度を前記第２の搬送速度から前記第１の搬送速度に変更することを特徴とする。
【発明の効果】
【００１０】
本発明によれば、取り付け箇所への固定時に連続紙が滞留することなく、固定作業中も搬送・排出動作を継続させ、且つ、取り付け部への固定作業時間を確保しながらも記録媒体へのダメージを抑えることが可能な画像形成装置を提供することができる。
【図面の簡単な説明】
【００１１】
【図１】画像形成装置の構成を説明する概略構成図である。
【図２】巻き取り部を説明する図である。
【図３】画像形成装置の制御機構を説明するブロック図である。
【図４】画像形成装置の画像形成時における動作を説明するフローチャートである。
【図５】画像形成装置の構成を説明する概略構成図である。
【図６】画像形成装置の制御機構を説明するブロック図である。
【図７】画像形成装置の画像形成時における動作を説明するフローチャートである。
【発明を実施するための形態】
【００１２】
以下、本発明の実施形態について図面を参照して説明する。なお、本発明は以下の記述に限定されるものではなく、本発明の要旨を逸脱しない範囲において適宜変更可能である。
【００１３】
［第１の実施形態］
図１は、本実施形態に係る画像形成装置の構成を説明する概略構成図である。本実施形態に係る画像形成装置１００は、装置本体部１０１と、連続紙Ｐの巻き出し部２０１と、カッター部２０２と、連続紙Ｐの巻取り部３０１とを備える。連続紙Ｐは、装置本体部１０１内部の媒体搬送経路Ｓを介して巻き出し部２０１と巻き取り部３０１との間で掛け渡されており、巻き出し部２０１から供給された連続紙Ｐは装置本体部１０１内部を通過し、巻取り部３０１により巻き取られる。
【００１４】
装置本体部１０１は、媒体搬送経路Ｓに沿って、給紙ローラ１０２と、給紙センサ１０３と、レジストローラ１０４と、書き出し位置センサ１０５と、ＬＥＤ（Light Emitting Diode）ヘッド１０６と、画像形成ユニット１０７と、転写ローラ１０８と、定着器１０９と、排出センサ１１０と、排出ローラ１１１とを備える。
【００１５】
搬送部としての給紙ローラ１０２は、図示せぬモータから伝達された駆動力に基づき回転し、巻き出し部２０１から供給された連続紙Ｐを装置本体部１０１内部に給紙する。
【００１６】
給紙センサ１０３は、例えば、連続紙Ｐの先端が接触することによって所定の方向に回転し、センサ受光部の開放・遮蔽を制御するアクチュエータ等を備え、給紙ローラ１０２により給紙された連続紙Ｐを検知する。
【００１７】
搬送部としてのレジストローラ１０４は、図示せぬモータから伝達された駆動力に基づき回転し、連続紙Ｐの斜行を矯正しながら連続紙Ｐを画像形成ユニット１０７に搬送する。
【００１８】
書き出し位置センサ１０５は、例えば、連続紙Ｐの先端が接触することによって所定の方向に回転し、センサ受光部の開放・遮蔽を制御するアクチュエータ等を備え、レジストローラ１０４により搬送された連続紙Ｐを検知する。書き出し位置センサ１０５による検出結果は後述するエンジン制御部４０３に出力され、エンジン制御部４０３は書き出し位置センサ１０５からの検出結果が入力されたタイミングで各部を制御し画像形成動作を開始させる。
【００１９】
ＬＥＤヘッド１０６は、例えば、ＬＥＤ素子とレンズアレイとを有し、後述する画像制御部４０４による制御に基づき該ＬＥＤ素子から照射される照射光が画像形成ユニット１０７が備える感光体ドラム表面で結像する位置に配設されている。
【００２０】
画像形成ユニット１０７は、例えば、ＬＥＤヘッド１０６から照射された照射光に基づき、静電潜像を形成する感光体ドラムと、感光体ドラム表面を一様均一に帯電させる帯電ローラと、感光体ドラム表面に形成された静電潜像に現像剤を付着させることにより現像剤像を形成させる現像ローラと、現像ローラに現像剤を供給する供給ローラ等を供え、入力された画像データに基づく現像剤像を形成する。
【００２１】
画像転写部としての転写ローラ１０８は、画像形成ユニット１０７の感光体ドラムと対峙する位置に配置され、図示せぬ高圧電源から印加された所定の電圧に基づき感光体ドラム表面に形成された現像剤像を連続紙Ｐに転写させる。
【００２２】
定着部としての定着器１０９は、画像形成ユニット１０７以降の媒体搬送路Ｓ下流側に配置されており、ヒートローラ１０９ａ、加圧ローラ１０９ｂ、及びハロゲンヒータ１０９ｃ等を備える。ヒートローラ１０９ａは、例えば、アルミニウム等からなる中空円筒状の芯金にシリコーンゴムの耐熱弾性層を被覆し、その上にＰＦＡ（テトラフルオロエチレンーパーフルオロアルキルビニルエーテル共重合体）チューブを被服することによって形成されている。そして、その芯金内には、ハロゲンヒータ１０９ｃが設けられている。加圧ローラ１０９ｂは、例えば、アルミニウム等からなる芯金にシリコーンゴムの耐熱弾性層を被覆し、その上にＰＦＡを被覆した構成であり、図示せぬバネから付与された加圧力によりヒートローラ１０９ａとの間にニップ部が形成されるように配設されている。画像形成ユニット１０７において形成された現像剤像が転写された連続紙Ｐが所定の温度に維持されたヒートローラ１０９ａと加圧ローラ１０９ｂとから形成されるニップ部を通過することにより、連続紙Ｐ上の現像剤に熱、及び圧力が付与され、当該現像剤は溶融し、現像剤像が定着される。
【００２３】
排出センサ１１０は、例えば、連続紙Ｐの先端が接触することによって所定の方向に回転し、センサ受光部の開放・遮蔽を制御するアクチュエータ等を備え、定着器１０９を通過した連続紙Ｐを検知する。
【００２４】
搬送部としての排出ローラ１１１は、図示せぬモータから伝達された駆動力に基づき回転し、連続紙Ｐを装置本体部１０１外部に排出する。
【００２５】
巻き出し部２０１としては、長尺の記録媒体が所定の芯体に巻回され、連続紙として装置本体１０１内部に供給できるものであれば如何なる形態のものであってもかまわない。
【００２６】
カッター２０２は、例えば、連続紙に対する画像形成が終了し、連続紙の中途で裁断する際に用いられる。
【００２７】
巻き取り部３０１は、図２に示すように、連続紙の固定の際に目安となる直線３０１ｃが表面に形成された芯体３０１ａの両端部が軸受け３０１ｂで軸支された構成となっている。軸受け３０１ｂには、図示せぬギア、モータ等の駆動手段が連結されており、これらの駆動により軸受け３０１ｂが駆動し、これに軸支されている芯体３０１ａが回転することで、連続紙を巻き取ることができる。
【００２８】
次に、本実施形態に係る画像形成装置１００の制御機構について説明する。図３は、画像形成装置１００の制御機構を説明するブロック図である。
【００２９】
図３に示すように、画像形成装置１００は、例えば、ＬＡＮ（Local Area Network）ケーブル、ＵＳＢ（Universal Serial Bus）ケーブルといった電気信号線を介してホストＰＣ４０１と接続された編集部４０２と、エンジン制御部４０３と、画像制御部４０４と、搬送制御部４０５と、定着制御部４０６と、到達時間監視部４０７と、取付時間監視部４０８と、速度制御部４０９とを備える。
【００３０】
編集部４０２は、ホストＰＣ４０１との間でデータの送受信を行い、画像データを受信した際は、受信した画像データを画像形成装置１００で画像形成可能なデータ形式に編集し、エンジン制御部４０３に画像形成指示を与える。
【００３１】
エンジン制御部４０３は、編集部４０２、画像制御部４０４、搬送制御部４０５、定着制御部４０６、到達時間監視部４０７、取付時間監視部４０８、及び速度制御部４０９を制御し、画像形成装置１００全体を統括的に制御する。
【００３２】
画像制御部４０４は、エンジン制御部４０３からの指示に基づき、画像形成ユニット１０７、転写ローラ１０８の駆動を制御し、連続紙Ｐ上における画像形成に係る処理を制御する。
【００３３】
搬送制御部４０５は、搬送部たる給紙ローラ１０２、レジストローラ１０４、及び排出ローラ１１１を回転させる図示せぬ各モータの駆動を制御し、連続紙Ｐの搬送に係る処理を制御する。また、搬送制御部４０５は、給紙センサ１０３、書き出し位置センサ１０５、及び排出センサ１１０からの検知信号をエンジン制御部４０３に出力する。
【００３４】
定着制御部４０６は、定着部たる定着器１０９のヒートローラ１０９ａ、加圧ローラ１０９ｂ、及びハロゲンヒータ１０９ｃの駆動を制御し、連続紙Ｐに転写された現像剤像の定着に係る処理を制御する。具体的には、定着制御部４０６は、ヒートローラ１０９ａの表面温度を検知する、図示せぬ温度検出手段からの検知結果に基づき、ハロゲンヒータ１０９ｃを制御してヒートローラ１０９ａの表面温度を所定の定着温度に維持する。
【００３５】
到達時間監視部４０７は、連続紙Ｐの先端が巻き取り部３０１に到達するまでに要する到達時間を監視する。そして、到達時間監視部４０７は、該到達時間が経過した場合に、その旨をエンジン制御部４０３に出力する。
【００３６】
取付時間監視部４０８は、ユーザによって連続紙Ｐが巻き取り部３０１に固定するために要する、予め設定された取付時間を監視する。そして、取付時間監視部４０８は、該取付時間が経過した場合に、その旨をエンジン制御部４０３に出力する。
【００３７】
速度制御部４０９は、エンジン制御部４０３を介して到達時間が経過した旨、又は取付時間が経過した旨の通知を受けると、連続紙Ｐの搬送速度を変更するよう搬送制御部４０５に指示を与える。
【００３８】
次に、本実施形態に係る画像形成動作について説明する。図４は、画像形成装置１００の画像形成時における動作を説明するフローチャートである。
【００３９】
ステップＳ５０１において、ホストＰＣ４０１から画像データを受信すると、編集部４０２は、受信した画像データを画像形成装置１００で画像形成可能なデータ形式に編集し、エンジン制御部４０３に画像形成指示を与える（ステップＳ５０２）。
【００４０】
画像形成指示を受けるとエンジン制御部４０３は、定着器１０９の温度、すなわち、ヒートローラ１０９ａの表面温度を所定の定着温度に昇温するように定着制御部４０６に指示を与える。指示を受けた定着制御部４０６は、ヒートローラ１０９ａの表面温度が所定の定着温度となるようハロゲンヒータ１０９ｃを制御する（ステップＳ５０３）。
【００４１】
定着器１０９の温度が所定の定着温度に到達した場合（ステップＳ５０４  ＹＥＳ）、エンジン制御部４０３は、給紙ローラ１０２、レジストローラ１０４、及び排出ローラ１１１を回転させて連続紙Ｐを給紙させるよう搬送制御部４０５に指示を与える。指示を受けた搬送制御部４０５は図示せぬモータの駆動を制御して給紙ローラ１０２、レジストローラ１０４、及び排出ローラ１１１を回転させ、連続紙Ｐの給紙動作を開始する（ステップＳ５０５）。一方、定着器１０９の温度が所定の定着温度に到達していない場合（ステップＳ５０４  ＮＯ）、エンジン制御部４０３は定着器１０９の温度が所定の定着温度に到達するまで待機する。
【００４２】
ステップＳ５０５において、連続紙Ｐの給紙動作が開始されると、搬送制御部４０５は、連続紙Ｐの排出センサ１１０の通過を監視する。排出センサ１１０により連続紙Ｐが検知され、検知信号が搬送制御部４０５を介してエンジン制御部４０３に出力された場合（ステップＳ５０６  ＹＥＳ）、エンジン制御部４０３は、連続紙Ｐの先端が巻き取り部３０１へ到達するのに要する到達時間を監視するよう到達時間監視部４０７に指示を与える。一方、排出センサ１１０により連続紙Ｐが検知されない場合（ステップＳ５０６ＮＯ）、搬送制御部４０５は排出センサ１１０により連続紙Ｐが検知されるまで待機する。なお、本実施形態において、到達時間は、装置寸法、及び画像形成ユニット１０７、転写ローラ１０８による連続紙Ｐ上での画像形成に係る画像形成速度により予め設定されているものとする。
【００４３】
到達時間監視部４０７により到達時間が経過した旨の通知を受けると（ステップＳ５０７  ＹＥＳ）、速度制御部４０９は、連続紙Ｐの搬送速度を画像形成速度に基づく第１の搬送速度（以下、画像形成時速度と称する）から連続紙Ｐにダメージを与えない十分に低速な第２の搬送速度たる固定時速度へと変更するよう搬送制御部４０５に指示を与える。指示を受けた搬送制御部４０５は、連続紙Ｐの搬送速度を画像形成時速度から固定時速度へ変更し、これに基づく制御を給紙ローラ１０２、レジストローラ１０４、及び排出ローラ１１１に対して行う（ステップＳ５０８）。
【００４４】
搬送速度の変更と同時に、エンジン制御部４０３は、連続紙Ｐを巻き取り部３０１に固定するために要する取付時間を監視するよう取付時間監視部４０８に指示を与える。取付時間監視部４０８により取付時間が経過した旨の通知を受けると（ステップＳ５０９  ＹＥＳ）、速度制御部４０９は、連続紙Ｐの搬送速度を固定時速度から画像形成時速度へと変更するよう搬送制御部４０５に指示を与える。指示を受けた搬送制御部４０５は、連続紙Ｐの搬送速度を固定時速度から画像形成時速度へ変更し、これに基づく制御を給紙ローラ１０２、レジストローラ１０４、及び排出ローラ１１１に対して行う（ステップＳ５１０）。
【００４５】
なお、連続紙Ｐの巻取り部３０１への固定は、巻取り部３０１に到達するまでに搬送された連続紙Ｐの先端を、図２に示すように、停止している巻取り部３０１の芯体３０１ａに描かれている直線３０１ｃに沿うようにテープ等の固定手段で固定して行う。
【００４６】
搬送制御部４０５による搬送速度の変更と同時に、エンジン制御部４０３は、図示せぬギア、モータ等の駆動手段を制御し、巻取り部３０１の軸受け３０１ｂを駆動させることによって、芯体３０１ａの回転を開始させ、連続紙Ｐの巻き取りを開始させる。
【００４７】
そして、エンジン制御部４０３は、連続紙Ｐ上において、画像形成を開始するよう画像制御部４０４に指示を与える。指示を受けた画像制御部４０４は、画像形成ユニット１０７、転写ローラ８の駆動を制御して連続紙Ｐ上に画像を形成させる（ステップＳ５１１）。
【００４８】
連続紙Ｐ上における画像形成が完了すると（ステップＳ５１２  ＹＥＳ）、カッター２０２は連続紙Ｐをカットする（ステップＳ５１３）。そして、排出センサ１１０により連続紙Ｐが検知され、連続紙Ｐの排出が完了すると（ステップＳ５１４  ＹＥＳ）、一連の処理は終了する。
【００４９】
以上のように、第１の実施形態によれば、取り付け箇所への固定時に連続紙が滞留することなく、固定作業中も搬送・排出動作を継続させ、且つ、取り付け部への固定作業時間を確保しながらも記録媒体へのダメージを抑えることが可能な画像形成装置を提供することができる。
【００５０】
［第２の実施形態］
第２の実施形態では、第１の実施形態において説明した取付時間監視部４０８に代えて、画像形成装置１００'外筐に設けられたスイッチ１１２の押下を認識するスイッチ制御部４１１を備える点で第１の実施形態とは異なる。第１の実施形態と同一な箇所については、同じ符号を付してその説明を省略する。
【００５１】
図５は、本実施形態に係る画像形成装置の構成を説明する概略構成図である。本実施形態に係る画像形成装置１００'は、第１の実施形態に係る構成に加え、スイッチ１１２を備える。スイッチ１１２は、巻き取り部３０１への連続紙Ｐの固定が完了したときに、ユーザが押下する操作入力部である。
【００５２】
そして、図６のブロック図に示すように、画像形成装置１００'は、第１の実施形態に係る画像形成装置１００における取付時間監視部４０８に代えてスイッチ制御部４１１を備える。スイッチ制御部４１１は、ユーザによるスイッチ１１２の押下を認識し、ユーザがスイッチ１１２を押下した旨をエンジン制御部４０３に出力する。
【００５３】
次に、本実施形態に係る画像形成動作について説明する。図７は、画像形成装置１００'の画像形成時における動作を説明するフローチャートである。
【００５４】
ステップＳ５０１において、ホストＰＣ４０１から画像データを受信すると、編集部４０２は、受信した画像データを画像形成装置１００で画像形成可能なデータ形式に編集し、エンジン制御部４０３に画像形成指示を与える（ステップＳ５０２）。
【００５５】
画像形成指示を受けるとエンジン制御部４０３は、定着器１０９の温度、すなわち、ヒートローラ１０９ａの表面温度を所定の定着温度に昇温するように定着制御部４０６に指示を与える。指示を受けた定着制御部４０６は、ヒートローラ１０９ａの表面温度が所定の定着温度となるようハロゲンヒータ１０９ｃを制御する（ステップＳ５０３）。
【００５６】
定着器１０９の温度が所定の定着温度に到達した場合（ステップＳ５０４  ＹＥＳ）、エンジン制御部４０３は、給紙ローラ１０２、レジストローラ１０４、及び排出ローラ１１１を回転させて連続紙Ｐを給紙させるよう搬送制御部４０５に指示を与える。指示を受けた搬送制御部４０５は図示せぬモータの駆動を制御して給紙ローラ１０２、レジストローラ１０４、及び排出ローラ１１１を回転させ、連続紙Ｐの給紙動作を開始する（ステップＳ５０５）。一方、定着器１０９の温度が所定の定着温度に到達していない場合（ステップＳ５０４  ＮＯ）、エンジン制御部４０３は定着器１０９の温度が所定の定着温度に到達するまで待機する。
【００５７】
ステップＳ５０５において、連続紙Ｐの給紙動作が開始されると、搬送制御部４０５は、連続紙Ｐの排出センサ１１０の通過を監視する。排出センサ１１０により連続紙Ｐが検知され、検知信号が搬送制御部４０５を介してエンジン制御部４０３に出力された場合（ステップＳ５０６  ＹＥＳ）、エンジン制御部４０３は、連続紙Ｐの先端が巻き取り部３０１へ到達するのに要する到達時間を監視するよう到達時間監視部４０７に指示を与える。一方、排出センサ１１０により連続紙Ｐが検知されない場合（ステップＳ５０６ＮＯ）、搬送制御部４０５は排出センサ１１０により連続紙Ｐが検知されるまで待機する。なお、本実施形態において、到達時間は、装置寸法、及び画像形成ユニット１０７、転写ローラ１０８による連続紙Ｐ上での画像形成に係る画像形成速度により予め設定されているものとする。
【００５８】
到達時間監視部４０７により到達時間が経過した旨の通知を受けると（ステップＳ５０７  ＹＥＳ）、速度制御部４０９は、連続紙Ｐの搬送速度を第１の搬送速度たる画像形成時速度から連続紙Ｐにダメージを与えない十分に低速な第２の搬送速度たる固定時速度へと変更するよう搬送制御部４０５に指示を与える。指示を受けた搬送制御部４０５は、連続紙Ｐの搬送速度を画像形成時速度から固定時速度へ変更し、これに基づく制御を給紙ローラ１０２、レジストローラ１０４、及び排出ローラ１１１に対して行う（ステップＳ５０８）。
【００５９】
そして、ユーザが巻取り部３０１に連続紙Ｐを固定し、スイッチ１１２を押下すると、スイッチ制御部４１１は、これを認識し、ユーザがスイッチ１１２を押下した旨をエンジン制御部４０３に通知する。スイッチ制御部４１１によりユーザがスイッチ１１２を押下した旨の通知を受けると（ステップＳ５１５  ＹＥＳ）、速度制御部４０９は、連続紙Ｐの搬送速度を固定時速度から画像形成時速度へと変更するよう搬送制御部４０５に指示を与える。指示を受けた搬送制御部４０５は、連続紙Ｐの搬送速度を固定時速度から画像形成時速度へ変更し、これに基づく制御を給紙ローラ１０２、レジストローラ１０４、及び排出ローラ１１１に対して行う（ステップＳ５１０）。
【００６０】
なお、連続紙Ｐの巻取り部３０１への固定は、巻取り部３０１に到達するまでに搬送された連続紙Ｐの先端を、図２に示すように、停止している巻取り部３０１の芯体３０１ａに描かれている直線３０１ｃに沿うようにテープ等の固定手段で固定して行う。
【００６１】
搬送制御部４０５による搬送速度の変更と同時に、エンジン制御部４０３は、図示せぬギア、モータ等の駆動手段を制御し、巻取り部３０１の軸受け３０１ｂを駆動させることによって、芯体３０１ａの回転を開始させ、連続紙Ｐの巻き取りを開始させる。
【００６２】
そして、エンジン制御部４０３は、連続紙Ｐ上において、画像形成を開始するよう画像制御部４０４に指示を与える。指示を受けた画像制御部４０４は、画像形成ユニット１０７、転写ローラ８の駆動を制御して連続紙Ｐ上に画像を形成させる（ステップＳ５１１）。
【００６３】
連続紙Ｐ上における画像形成が完了すると（ステップＳ５１２  ＹＥＳ）、カッター２０２は連続紙Ｐをカットする（ステップＳ５１３）。そして、排出センサ１１０により連続紙Ｐが検知され、連続紙Ｐの排出が完了すると（ステップＳ５１４  ＹＥＳ）、一連の処理は終了する。
【００６４】
以上のように、第２の実施形態によれば、取り付け箇所への固定時に連続紙が滞留することなく、固定作業中も搬送・排出動作を継続させ、且つ、取り付け部への固定作業時間を確保しながらも記録媒体へのダメージを抑えることが可能な画像形成装置を提供することができる。
【００６５】
本発明の説明において、１つの画像形成ユニットを有する画像形成装置を一例として説明したが、これに限定されず、例えば、ブラック、イエロー、マゼンタ、シアンの４色の現像剤像を形成可能な４つの画像形成ユニットを備える画像形成装置にも適用可能である。
【００６６】
また、本発明は、画像形成装置としてのプリンタに限定されず、複写機、ファクシミリ、ＭＦＰ等にも適用可能である。
【符号の説明】
【００６７】
１００，１００'  画像形成装置
１０１  装置本体部
１０２  給紙ローラ
１０３  給紙センサ
１０４  レジストローラ
１０５  書き出し位置センサ
１０６ＬＥＤヘッド
１０７  画像形成ユニット
１０８  転写ローラ
１０９  定着器
１０９ａ  ヒートローラ
１０９ｂ  加圧ローラ
１０９ｃ  ハロゲンヒータ
１１０  排出センサ
１１１  排出ローラ
１１２  スイッチ
２０１  巻き出し部
２０２  カッター
３０１  巻き取り部
３０１ａ  芯体
３０１ｂ  軸受け部
３０１ｃ  直線
４０１  ホストＰＣ
４０２  編集部
４０３  エンジン制御部
４０４  画像制御部
４０５  搬送制御部
４０６  定着制御部
４０７  到達時間監視部
４０８  取付時間監視部
４０９  速度制御部
４１１  スイッチ制御部
【図１】
2013249144.tif 000003
【図２】
2013249144.tif 000004
【図３】
2013249144.tif 000005
【図４】
2013249144.tif 000006
【図５】
2013249144.tif 000007
【図６】
2013249144.tif 000008
【図７】
2013249144.tif 000009